(57)【特許請求の範囲】
【請求項１】
上部が開口され、調理容器を加熱する加熱手段を内部に有する本体と、前記本体の開口を覆うように取り付けられ、前記調理容器が載置される天板とを有し、前記本体がキッチン台内に収容される加熱調理器であって、
前記本体内に設けられ、前記キッチン台の正面に設けられた回動自在の化粧パネルに対向する開口部を有する収納庫と、
前記化粧パネルよりも内側に位置し、前記収納庫の前記開口部を開閉する扉体と、
を備え、
前記化粧パネルは下部に設けられた軸を中心にして回動し、
前記扉体は、前記化粧パネルの回動に連動して、前記収納庫の前記開口部から離れる方向または近づく方向に水平に移動するものであって、
前記化粧パネルが全閉状態から外側の方向に回動するときに、前記扉体は前記収納庫の前記開口部から離れる方向に水平に移動し、
前記化粧パネルが前記内側の方向に回動して前記全閉状態になるときに、前記扉体は前記収納庫の前記開口部に近づく方向に水平に移動して前記開口部を全閉状態にし、
前記収納庫は、被加熱物を加熱するための加熱手段を有していない
ことを特徴とする加熱調理器。
【請求項２】
前記扉体と前記化粧パネルとの間に隙間が設けられていることを特徴とする請求項１記載の加熱調理器。
【請求項３】
前記扉体は、断熱材により形成されていることを特徴とする請求項１又は２に記載の加熱調理器。
【請求項４】
前記扉体は、
前記扉体の両側面に設けられた１対の連結部と、
前記扉体の前記両側面に設けられた１対の上下方向に延びた溝と
を有し、
各前記連結部の一端は、回動自在に前記化粧パネルの両側面に支持され、
各前記連結部の他端は、前記溝に摺動自在に設けられている、
請求項１〜３の何れか１項に記載の加熱調理器。
【発明の詳細な説明】
【技術分野】
【０００１】
本発明は、キッチン台に収容される加熱調理器に関するものである。
【背景技術】
【０００２】
従来の加熱調理器として、本体内に調理庫を設置し、調理庫の開口部を開閉するフロントパネルを、キッチン台の正面と同一面上になるようにしたものがある。（例えば、特許文献１参照）。
【先行技術文献】
【特許文献】
【０００３】
【特許文献１】特開２００７−２６８０８０号公報
【発明の概要】
【発明が解決しようとする課題】
【０００４】
前述した加熱調理器では、フロントパネルに耐熱性が必要なため、キッチン台の正面と同じ面材を使用することができず、意匠性の向上を望むことができなかった。
【０００５】
本発明は、前述のような課題を解決するためになされたもので、キッチン台の意匠性を損なうことのない加熱調理器を提供することを目的とする。
【課題を解決するための手段】
【０００６】
本発明に係る加熱調理器は、上部が開口され、調理容器を加熱する加熱手段を内部に有する本体と、前記本体の開口を覆うように取り付けられ、前記調理容器が載置される天板とを有し、前記本体がキッチン台内に収容される加熱調理器であって、前記本体内に設けられ、前記キッチン台の正面に設けられた回動自在の化粧パネルに対向する開口部を有する収納庫と、前記化粧パネルよりも内側に位置し、前記収納庫の前記開口部を開閉する扉体と、を備え、前記化粧パネルは下部に設けられた軸を中心にして回動し、前記扉体は、前記化粧パネルの回動に連動して、前記収納庫の前記開口部から離れる方向または近づく方向に水平に移動するものであって、前記化粧パネルが全閉状態から外側の方向に回動するときに、前記扉体は前記収納庫の前記開口部から離れる方向に水平に移動し、前記化粧パネルが前記内側の方向に回動して前記全閉状態になるときに、前記扉体は前記収納庫の前記開口部に近づく方向に水平に移動して前記開口部を全閉状態にし、前記収納庫は、被加熱物を加熱するための加熱手段を有していないものである。
【発明の効果】
【０００７】
本発明によれば、収納庫がキッチン台の化粧パネルに対向する位置に配置され、収納庫の蓋体が化粧パネルよりも内側に配置されるようにしている。この構成により、収納庫の蓋体が化粧パネルの正面に露出しないので、意匠性が向上し、化粧パネルをキッチン台と同じ色、同じ材料を用いることができ、キッチン台の正面の意匠を統一できる。
【図面の簡単な説明】
【０００８】
【図１】本発明の実施の形態１に係る加熱調理器が収容されたキッチン台の全体を示す斜視図である。
【図２】本発明の実施の形態１に係る加熱調理器を示す斜視図である。
【図３】図１の加熱調理器を矢視方向から見て示す断面図である。
【図４】図３の収納庫の扉体が開閉自在の状態を示す断面図である。
【図５】図３の加熱調理器の変形例を示す断面図である。
【図６】図５の収納庫の扉体が開閉自在の状態を示す断面図である。
【図７】本発明の実施の形態２に係る加熱調理器を示す斜視図である。
【図８】図７の加熱調理器がキッチン台に収容された場合の断面図である。
【図９】図７の調理庫の扉体が開閉自在の状態を示す断面図である。
【図１０】図８の加熱調理器の変形例を示す断面図である。
【図１１】図１０の調理庫の扉体が開閉自在の状態を示す断面図である。
【発明を実施するための形態】
【０００９】
実施の形態１．
図１は本発明の実施の形態１に係る加熱調理器が収容されたキッチン台の全体を示す斜視図、図２は本発明の実施の形態１に係る加熱調理器を示す斜視図である。
本実施の形態１の加熱調理器１００は、図１に示すように、キッチン台２００に収容される。キッチン台２００の上面にはキッチンカウンター２０１が設けられている。このキッチンカウンター２０１は、調理物の下ごしらえ等を行える平坦なスペースを有し、洗い物等を行うシンク２０２、水あるいはお湯を供給する水栓器具２０３を備えている。
【００１０】
キッチン台２００の正面は、複数の区画に分割されており、例えば、複数の引出パネル２１１と、後述する収納庫１０の扉体６を覆う第１化粧パネル２１（請求項１における化粧パネルに相当）と、第２化粧パネル２３とによって分割されている。複数の引出パネル２１１には、上部が開口した箱状のトレイが設けられている。また、複数の引出パネル２１１の正面の上部には、キッチン台２００からトレイを引き出したり、キッチン台２００内にトレイを収容するための手掛け部が設けられている。第２化粧パネル２３は、後述する加熱調理器１００の本体１の前面板１１（図２参照）にネジ等により取り付けられている。複数の引出パネル２１１、第１化粧パネル２１及び第２化粧パネル２３は、同一面上であって、同じ色、同じ材料により形成されている。これにより、キッチン台２００の正面は、意匠の統一が図られている。
【００１１】
加熱調理器１００は、図２に示すように、本体１の上部の開口が天板２によって覆われている。この天板２は、鍋等の調理容器が載置されるトッププレート２ａと、トッププレート２ａの外周部に設けられた枠体２ｂとで構成されている。トッププレート２ａは、例えば結晶化ガラスにより形成され、枠体２ｂは、例えばステンレスにより形成され、トッププレート２ａの外周部にシリコン系接着剤等で固着されている。
【００１２】
天板２には、前部に各種の操作入力を行う操作部４が設けられている。操作部４には、複数の操作スイッチが設けられている。なお、操作部４を枠体２ｂに設けた例を示しているが、これに限定されるものではない。例えば、トッププレート２ａに静電スイッチのようなタッチ式のスイッチを設けてもよい。
【００１３】
トッププレート２ａには、調理容器を加熱する位置を示す左加熱部３ａ、右加熱部３ｂ、中央加熱部３ｃが設けられており、これら加熱部は印刷等の表示で示されている。トッププレート２ａの下方の本体１内には、各加熱部に対応して加熱手段である左誘導加熱コイル１２ａ（図３参照）、右誘導加熱コイル、中央誘導加熱コイルが配置されている。なお、本実施の形態１では、各加熱部にそれぞれ誘導加熱コイルを設けているが、これらの誘導加熱コイルのうち１つを、例えばラジエントヒーターのような電熱線からなる輻射式加熱手段としてもよい。
【００１４】
また、トッププレート２ａの前部には、左加熱部３ａ、右加熱部３ｂ、中央加熱部３ｃの設定条件、調理の経過状況等を表示する左表示部５ａ、右表示部５ｂ、中央表示部５ｃが設けられている。左表示部５ａ、右表示部５ｂ、中央表示部５ｃに対応して、トッププレート２ａの下方の本体１内には、図示しない基板に搭載された表示手段が設けられている。この表示手段は、液晶（ＬＣＤ）によるもの、有機電界発光（Ｅｌｅｃｔｒｏ  Ｌｕｍｉｎｅｓｃｅｎｃｅ：ＥＬ）素子などによるものが使用される。
【００１５】
なお、本実施の形態１では、加熱部それぞれに対応して表示部を設けたことを説明したが、表示部についてはこれに限定されるものではなく、１つの表示部で交互に、あるいは一度に全ての加熱部の設定条件を表示するものでもよい。また、設定条件の火力をＬＥＤの点灯あるいは点滅の数で表すような表示手段を用いたものでもよく、適宜、選定可能である。
【００１６】
天板２の下方で前面板１１の後方には、スイッチング素子、整流回路、その他電子部品等から構成されたそれぞれの誘導加熱コイル用のインバーター回路を内包したインバーター基板、インバーター基板を冷却する冷却ファンが配置されている。冷却ファンの冷却風は、インバーター基板を冷却した後、それぞれの誘導加熱コイルを冷却している。
【００１７】
なお、本実施の形態１では、１枚のインバーター基板からそれぞれの誘導加熱コイルに電力を供給するようにしているが、これに限定されるものではない。例えば、複数の加熱部毎にインバーター基板が用意されているもの、例えば加熱部が３つあれば３枚のインバーター基板が用意されているものであってもよく、適宜、選定可能である。
【００１８】
本体１の前面板１１の並びに扉体６が設けられている。この扉体６は、図２に示すように、収納庫１０の前面に設けられた開口部を開閉するためのもので、裏面にトレイ７が直接取り付けられている。扉体６の上部には、トレイ７を収納庫１０内から引き出すための手掛け部６ａが設けられている。
【００１９】
なお、本実施の形態１では、扉体６にトレイ７を直接取り付けて、トレイ７を収納庫１０内に収容する形態となっているが、これに限定されるものではない。例えば、収納庫１０内にレールを設け、そのレールに扉体６を連結し、レールにトレイ７を載置して扉体６と連動したレールによりトレイ７を収納庫１０内から引き出したり、収容したりするようにしてもよい。
【００２０】
天板２の後部には、冷却ファンによりインバーター基板、それぞれの誘導加熱コイル等を冷却した冷却風を排出する排気口２ｃが設けられている。排気口２ｃの上方には、排気口カバー９ａ、９ｂが取り外し自在に設置されている。排気口カバー９ａ、９ｂは、排気口２ｃに異物が入らないようにするためのものである。
【００２１】
次に、キッチン台２００に収容された状態の加熱調理器１００について、図３及び図４を用いて説明する。
図３は図１の加熱調理器を矢視方向から見て示す断面図、図４は図３の収納庫の蓋体が開閉自在の状態を示す断面図である。
加熱調理器１００は、キッチンカウンター２０１に設けられた開口２０１ａから、キッチン台２００内に本体１を落とし込むようにして収容することで、キッチン台２００に設置される。このようにキッチン台２００に設置された加熱調理器１００は、ビルトインタイプあるいはドロップインタイプと呼ばれる。天板２は、キッチンカウンター２０１の開口２０１ａよりも大きく形成されており、天板２が開口２０１ａの縁に掛かることによって、本体１がぶら下がった状態で支持されている。
【００２２】
本実施の形態１においては、加熱調理器１００がキッチン台２００に設置された場合、収納庫１０がキッチン台２００の第１化粧パネル２１に対向する位置に配置され、収納庫１０の扉体６が第１化粧パネル２１よりも内側に配置される。この構成により、収納庫１０の扉体６は第１化粧パネル２１と干渉しないので、キッチン台２００に第１化粧パネル２１が取付けられた状態で、加熱調理器１００をキッチン台２００に設置することが可能である。勿論、加熱調理器１００をキッチン台２００に設置したあとで、第１化粧パネル２１を取付けることも可能であり、適宜、何れかの方法を採用することができる。
【００２３】
収納庫１０は、例えば、しゃもじ、へら、おろし金等の調理小物、調理容器を収納するためのものである。第１化粧パネル２１は、左右方向の両側面の下部に備えた軸２５がキッチン台２００に回動自在に支持され、上部に手掛け部２２が設けられている。この手掛け部２２を手前に引くことで、第１化粧パネル２１が軸２５を中心に回動して手前側に開き、開けた第１化粧パネル２１を持ち上げることで元の位置に戻る。つまり、第１化粧パネル２１を、図３に示す矢印Ａ方向に回動させて開くことができ、矢印Ｂ方向に回動させて閉じることができる。
【００２４】
図４に示すように、手掛け部２２を手前に引いて、第１化粧パネル２１を開けることにより、キッチン台２００の正面から奥まった位置に扉体６が現れる。この扉体６の手掛け部６ａ（図２参照）を、図４の矢印のように手前Ｃ方向に引いたりＤ方向に押したりすることで、扉体６に連結されたトレイ７を収納庫１０から出したり、収納庫１０内にトレイ７を収容することができる。
【００２５】
以上のように本実施の形態１によれば、加熱調理器１００がキッチン台２００に設置された場合、収納庫１０がキッチン台２００の第１化粧パネル２１に対向する位置に配置され、収納庫１０の扉体６が第１化粧パネル２１よりも内側に配置されるようにしている。この構成により、第１化粧パネル２１に複数の引出パネル２１１及び第２化粧パネル２３と同じ色、同じ材料を用いることができ、収納庫１０の扉体６は第１化粧パネル２１を開けなければ外観に現れることがないので、キッチン台２００の意匠の統一が図れ、意匠性が向上する。
【００２６】
また、扉体６が第１化粧パネル２１よりも内側に配置される加熱調理器１００であるため、本体１をキッチン台２００にセットする際の作業性が容易となる。
【００２７】
（変形例）
本実施の形態１では、第１化粧パネル２１と収納庫１０の扉体６は独立しており、第１化粧パネル２１を開けた後に、収納庫１０の扉体６が開けられるようにしたが、扉体６を第１化粧パネル２１の回動に連動させて開閉するようにしてもよい。
図５は図３の加熱調理器の変形例を示す断面図、図６は図５の収納庫の扉体が開閉自在の状態を示す断面図である。図５及び図６は断面図であるが、後述する連結部２１ａと溝６ｂを図示するため、第１化粧パネル２１と扉体６のみ断面ではなく側面から見た状態を図示している。なお、図３及び図４と同様あるいは相当部分には同じ符号を付して説明をする。
【００２８】
第１化粧パネル２１と扉体６は、それぞれ左右方向の両側面に設けられた一対の連結部２１ａにより連結されている。扉体６の両側面には、縦方向に長い溝６ｂが設けられている。連結部２１ａの第１化粧パネル２１側の端部は、回動自在に第１化粧パネル２１の両側面に支持されており、連結部２１ａの扉体６側の端部は、溝６ｂに摺動自在に設けられている。
【００２９】
図６に示すように、第１化粧パネル２１を、軸２５を中心に手前側矢印Ａ方向に回動して開けた場合には、連結部２１ａにより、扉体６が手前矢印Ｃ方向に移動して収納庫１０を開く。そして、扉体６の手掛け部６ａを手前矢印Ｃ方向に引いていくと、連結部２１ａの扉体６側の端部は、溝６ｂ内に沿って上方に移動し溝６ｂ内の上部に達する。更に、扉体６を手前矢印Ｃ方向に引いた場合には、溝６ｂ内の上部に位置する連結部２１ａの扉体６側の端部は、溝６ｂ内に沿って下方へ移動し元の位置に戻る。
【００３０】
このように、第１化粧パネル２１を手前側矢印Ａ方向に回動してに開けた場合、一対の連結部２１ａにより、扉体６が手前矢印Ｃ方向に移動するので、その後の扉体６を開ける作業が容易となる。
【００３１】
また、この場合も、第１化粧パネル２１に複数の引出パネル２１１及び第２化粧パネル２３と同じ色、同じ材料を用いることができ、収納庫１０の扉体６は第１化粧パネル２１を開けなければ外観に現れることがないので、キッチン台２００の意匠の統一が図れ、意匠性が向上する。更に、扉体６が第１化粧パネル２１よりも内側に配置される加熱調理器１００であるため、本体１をキッチン台２００にセットする際の作業性が容易となる。
【００３２】
実施の形態２．
実施の形態１では、本体１内に収納庫１０を備えた加熱調理器１００について説明したが、本実施の形態２は、加熱調理器１００の本体１内に、収納庫１０に代えて、調理物を調理する調理庫を備えたものである。
図７は本発明の実施の形態２に係る加熱調理器を示す斜視図、図８は図７の加熱調理器がキッチン台に収容された場合の断面図、図９は図７の調理庫の扉体が開閉自在の状態を示す断面図である。なお、実施の形態１と同様あるいは相当部分には同じ符号を付して説明する。
【００３３】
本実施の形態２の加熱調理器１００は、図１に示すように、キッチン台２００に収容される。天板２の前部中央に設けられた中央表示部５ｃは、中央加熱部３ｃの設定条件、調理の経過状況等を表示するだけではなく、後述する調理庫１０ａ内に収容される魚等の調理物をグリル調理あるいはオーブン調理のような加熱調理する設定条件、調理の経過状況等を表示するようになっている。
【００３４】
なお、中央加熱部３ｃと調理庫１０ａが同時に使用されている場合は、中央表示部５ｃに、それぞれの設定条件、調理の経過状況等を交互に表示するようにしてもよいし、区分けされた表示位置にそれぞれの設定条件、調理の経過状況等を同時に表示するようにしてもよい。
【００３５】
天板２の下方で前面板１１の後方には、前述したインバーター基板及び冷却ファンの他に、調理庫１０ａ内に設けられたシーズヒーター等の加熱手段に電力を供給する電源基板が配置されている。冷却ファンの冷却風は、インバーター基板、電源基板を冷却した後、それぞれの誘導加熱コイルを冷却し、排気口２ｃから排出される。
【００３６】
実施の形態１と同様に、本体１の前面板１１の並びに扉体６が設けられている。この扉体６は、図７に示すように、調理庫１０ａの前面に設けられた開口部を開閉するためのもので、裏面に受け皿７が直接取り付けられている。受け皿７の上には調理物を載置する焼き網８が設置される。
【００３７】
なお、本実施の形態２では、扉体６に受け皿７を直接取り付けて、受け皿７を調理庫１０ａ内に収容する形態となっているが、これに限定されるものではない。前述したように、調理庫１０ａ内にレールを設け、そのレールに扉体６を連結し、レールに受け皿７を載置して扉体６と連動したレールにより受け皿７を調理庫１０ａ内から引き出したり、収容したりするようにしてもよい。
【００３８】
調理庫１０ａの背面には、図８に示すように、複数の排気穴１３が設けられている。また、調理庫１０ａの背面と排気口２ｃと間には、排気通路１４が設けられている。排気穴１３から排出される油煙、高温となった空気は、排気通路１４を通り、排気口２ｃへ送られて加熱調理器１００の外へ排出される。なお、ここでは説明していないが、排気穴１３の他、言い替えると排気通路１４内に油煙を軽減する触媒を設けてもよい。触媒を設けることで、加熱調理器１００の外へ排出される排気の油分と臭いを抑えることができる。
【００３９】
次に、キッチン台２００に収容された状態の加熱調理器１００について、図８及び図９を用いて説明する。
調理庫１０ａを備えた従来の加熱調理器では、基本的に第１化粧パネル２１を備えない構成となっている。つまり、扉体６がキッチン台２００の正面、言い替えると第１化粧パネル２１の位置にくるように構成され、蓋体６がキッチン台２００の意匠部品の一部を構成している。
調理庫１０ａの扉体６は、調理庫１０ａで加熱調理を行うと高温となる。第１化粧パネル２１や引出しパネル２１１に使用されている材料では、加熱調理のときの高温に耐えられないため、調理庫１０ａの扉体６は高温に耐えられる材料、例えば金属や耐熱強化ガラスを使用する必要がある。よって、第１化粧パネル２１や引出しパネル２１１に使用されている材料とは異なる材料を使用しなければならず、意匠の統一を図ることが困難である。
本実施の形態２においては、加熱調理器１００がキッチン台２００に設置された場合、調理庫１０ａがキッチン台２００の第１化粧パネル２１に対向する位置に配置され、調理庫１０ａの扉体６の前端（正面寄り）が第１化粧パネル２１の後端（キッチン２００内部寄り）よりも内側に隙間１５を有して配置される。この隙間１５により、調理庫１０ａで調理物を調理しているときの熱を吸収する空気層が形成されている。
調理庫１０ａの扉体６は第１化粧パネル２１よりも内側に隙間１５を有して配置され、第１化粧パネル２１に干渉しないので、キッチン台２００に第１化粧パネル２１が取付けられた状態で、加熱調理器１００をキッチン台２００に設置することが可能である。勿論、加熱調理器１００をキッチン台２００に設置したあとで、第１化粧パネル２１を取付けることも可能であり、適宜、何れかの方法を採用することができる。
【００４０】
なお、調理庫１０ａの扉体６を断熱材で形成してもよい。この場合、扉体６と第１化粧パネル２１との間に隙間１５を設けることなく、扉体６を第１化粧パネル２１に当接させることができる。また、扉体６と第１化粧パネル２１との間に隙間１５を設けた場合、調理庫１０ａからの熱を更に遮断することができる。扉体６を第１化粧パネル２１に当接させるときは、加熱調理器１００をキッチン台２００に設置したあとで、第１化粧パネル２１を取付けることが望ましい。
【００４１】
図９に示すように、手掛け部２２を手前に引いて、第１化粧パネル２１を開けることにより、キッチン台２００の正面から奥まった位置に扉体６が現れる。この扉体６の手掛け部６ａ（図２参照）を、図９の矢印のように手前Ｃ方向に引いたりＤ方向に押したりすることで、扉体６に連結された受け皿７を調理庫１０ａから出したり、調理庫１０ａ内に受け皿７を収容することができる。
【００４２】
以上のように本実施の形態２によれば、加熱調理器１００がキッチン台２００に設置された場合、調理庫１０ａがキッチン台２００の第１化粧パネル２１に対向する位置に配置され、調理庫１０ａの扉体６が第１化粧パネル２１よりも内側に配置されるようにしている。この構成により、第１化粧パネル２１に複数の引出パネル２１１及び第２化粧パネル２３と同じ色、同じ材料を用いることができ、調理庫１０ａの扉体６は第１化粧パネル２１を開けなければ外観に現れることがないので、キッチン台２００の意匠の統一が図れ、意匠性が向上する。
【００４３】
更に、扉体６と第１化粧パネル２１との間に隙間１５を設けて空気層を形成しているので、第１化粧パネル２１が高温になるようなことがなく、使用者の安全を確保できると共に、熱による第１化粧パネル２１の色が変色するようなことがない。
【００４４】
また、扉体６が第１化粧パネル２１よりも内側に配置される加熱調理器１００であるため、本体１をキッチン台２００にセットする際の作業性が容易となる。
【００４５】
（変形例）
本実施の形態２では、第１化粧パネル２１と調理庫１０ａの扉体６は独立しており、第１化粧パネル２１を開けた後に、調理庫１０ａの扉体６が開けられるようにしたが、扉体６を第１化粧パネル２１の回動に連動させて開閉するようにしてもよい。
図１０は図８の加熱調理器の変形例を示す断面図、図１１は図１０の調理庫の扉体が開閉自在の状態を示す断面図である。図１０及び図１１は断面図であるが、後述する連結部２１ａと溝６ｂを図示するため、第１化粧パネル２１と扉体６のみ断面ではなく側面から見た状態を図示している。なお、図８及び図９と同様あるいは相当部分には同じ符号を付して説明をする。
【００４６】
第１化粧パネル２１と扉体６は、前述したように、それぞれ左右方向の両側面に設けられた一対の連結部２１ａにより連結されている。扉体６の両側面には、縦方向に長い溝６ｂが設けられている。連結部２１ａの第１化粧パネル２１側の端部は、回動自在に第１化粧パネル２１の両側面に支持されており、連結部２１ａの扉体６側の端部は、溝６ｂに摺動自在に設けられている。なお、前述したように、調理庫１０ａの扉体６が第１化粧パネル２１よりも内側に隙間１５を有して配置される。
【００４７】
図１１に示すように、第１化粧パネル２１を、軸２５を中心に手前側矢印Ａ方向に回動して開けた場合には、連結部２１ａにより、扉体６が手前矢印Ｃ方向に移動して調理庫１０ａを開く。そして、扉体６の手掛け部６ａを手前矢印Ｃ方向に引いていくと、連結部２１ａの扉体６側の端部は、溝６ｂ内に沿って上方に移動し溝６ｂ内の上部に達する。更に、扉体６を手前矢印Ｃ方向に引いた場合には、溝６ｂ内の上部に位置する連結部２１ａの扉体６側の端部は、溝６ｂ内に沿って下方へ移動し元の位置に戻る。
【００４８】
このように、第１化粧パネル２１を手前側矢印Ａ方向に回動して開けた場合、一対の連結部２１ａにより、扉体６が手前矢印Ｃ方向に移動するので、その後の扉体６を開ける作業が容易となる。
【００４９】
また、この場合も、第１化粧パネル２１に複数の引出パネル２１１及び第２化粧パネル２３と同じ色、同じ材料を用いることができ、調理庫１０ａの扉体６は第１化粧パネル２１を開けなければ外観に現れることがないので、キッチン台２００の意匠の統一が図れ、意匠性が向上する。更に、扉体６が第１化粧パネル２１よりも内側に配置される加熱調理器１００であるため、本体１をキッチン台２００にセットする際の作業性が容易となる。
【００５０】
更に、扉体６と第１化粧パネル２１との間に隙間１５を設けて空気層を形成しているので、第１化粧パネル２１が高温になるようなことがなく、使用者の安全を確保できると共に、熱による第１化粧パネル２１の色が変色するようなことがない。
【符号の説明】
【００５１】
１  本体、２  天板、２ａ  トッププレート、２ｂ  枠体、２ｃ  排気口、３ａ  左加熱部、３ｂ  右加熱部、３ｃ  中央加熱部、４  操作部、５ａ  左表示部、５ｂ  右表示部、５ｃ  中央表示部、６  扉体、６ａ  手掛け部、６ｂ  溝、７  トレイ又は受け皿、８  焼き網、９ａ、９ｂ  排気カバー、１０  収納庫、１０ａ  調理庫、１１  前面板、１２ａ  左誘導加熱コイル、１３  排気穴、１４  排気通路、１５  隙間（空気層）、２１  第１化粧パネル、２１ａ  連結部、２２  手掛け部、２３  第２化粧パネル、２５  軸、１００  加熱調理器、２００  キッチン台、２０１  キッチンカウンター、２０１ａ  開口、２１１  引出パネル、２０２  シンク、２０３  水栓器具。
【図１】
0006706968.tif 000002
【図２】
0006706968.tif 000003
【図３】
0006706968.tif 000004
【図４】
0006706968.tif 000005
【図５】
0006706968.tif 000006
【図６】
0006706968.tif 000007
【図７】
0006706968.tif 000008
【図８】
0006706968.tif 000009
【図９】
0006706968.tif 000010
【図１０】
0006706968.tif 000011
【図１１】
0006706968.tif 000012